(57)【要約】【課題】情報記録面への情報記録とレーベル面への可視画像形成という２つの動作を行なう際に、光ディスクを再セットする手間を省き、また情報記録面への情報記録とレーベル面への可視画像形成の双方に対して最適な記録条件または可視画像形成条件に設定することができるため、使用者の利便性を高め、かつ高品質の記録または可視画像形成を行なうことが可能な光ディスクの記録方法および光ディスク装置を提供することを目的とする。【解決手段】本発明の光ディスクの記録方法は、レーベル面に可視画像記録領域を有した光ディスク５２の記録方法であって、第１光ピックアップ４が光ディスク５２の情報記録面に対して情報の記録又は再生の少なくとも一方を行ない、第２光ピックアップ６が光ディスク５２のレーベル面に対して光ビームを照射することにより可視画像の形成を行なうことを特徴とする。【選択図】図１
2006294083.tif 000002
【特許請求の範囲】
【請求項１】
レーベル面に可視画像記録領域を有した光ディスクの記録方法であって、第１の光ピックアップは光ディスクの情報記録面に対して情報の記録又は再生の少なくとも一方を行ない、第２の光ピックアップは光ディスクのレーベル面に対して光ビームを照射することにより可視画像の形成を行なうことを特徴とする光ディスクの記録方法。
【請求項２】
前記第１の光ピックアップと前記第２の光ピックアップは、並行して動作することを特徴とする請求項１に記載の光ディスクの記録方法。
【請求項３】
前記第１の光ピックアップと前記第２の光ピックアップが並行して行なう動作は、前記第１の光ピックアップの動作が優先して行なわれることを特徴とする請求項１、２いずれか１項に記載の光ディスクの記録方法。
【請求項４】
前記第２の光ピックアップは、光ディスクのレーベル面に対して可視画像の形成を行なう際に、同一箇所に複数回の記録動作を行なうことを特徴とする請求項１〜３のいずれか１項に記載の光ディスクの記録方法。
【請求項５】
光ディスクを回転させる回転駆動手段と、光ディスクに光ビームを照射する第１の光ピックアップと第２の光ピックアップと、前記第１の光ピックアップと前記第２の光ピックアップを制御する制御部を備え、前記制御部は、レーベル面に可視画像記録領域を有した光ディスクに対して、前記第１の光ピックアップで光ディスクの情報記録面に情報の記録又は再生の少なくとも一方を行ない、前記第２の光ピックアップで光ディスクのレーベル面に光ビームを照射することにより可視画像の形成を行なうことを特徴とする光ディスク装置。
【請求項６】
前記可視画像記録領域は、特定の周波数の光ビームが当たると化学反応する変色層であるか、もしくは光ビームが当たると熱により発色が変化する変色層であることを特徴とする請求項１〜５に記載の光ディスクの記録方法および光ディスク装置。
【請求項７】
前記特定の周波数は、ＣＤの記録もしくは再生に用いられる周波数、またはＤＶＤの記録もしくは再生に用いられる周波数の少なくとも一方であることを特徴とする請求項１〜６のいずれか１項に記載の光ディスクの記録方法および光ディスク装置。
【発明の詳細な説明】
【技術分野】
【０００１】
本発明は、レーベル面に可視画像記録領域を有した光ディスクに対して、光ビームを照射することにより可視画像の形成を行なうことができる光ディスクの記録方法および光ディスク装置に関するものである。
【背景技術】
【０００２】
光ディスク装置は、オーディオ用ＣＤをはじめとして、ＣＤ−ＲＯＭ、ＣＤ−Ｒ／ＲＷ、ＤＶＤなどがすでに実用化されており、各方面への応用と高性能化への開発が活発に行われている。特に最近では、パーソナルコンピュータの急速な市場拡大に伴い、光ディスク装置のパーソナルコンピュータへの内蔵普及率も高くなっている。
【０００３】
また、最近では、レーベル面に可視画像記録領域を有した光ディスクに対して、光ビームを照射することにより可視画像の形成を行なうことができる光ディスク装置が提案され、その光ディスク装置を用いれば、光ディスクの情報記録面にデータを記録すると共に、データの記録が終了した光ディスクのレーベル面に所望の可視画像の形成を行なうことができる。
【０００４】
ここで、従来の光ディスク装置の構成について図６を用いて説明する。
【０００５】
図６は、従来の光ディスク装置の構成を示すブロック図である。
【０００６】
図６において、５１はドライブ機構部、５２は光ディスク、５３はスピンドルモータ、５４は光ピックアップ、５５はフィード部、５８はアナログ信号処理部、５９はサーボ処理部、６０はモータ駆動部、６１はコントローラ、６２はレーザ駆動部、６３はディジタル信号処理部、６３ａはＰＬＬ回路、６４はバッファメモリである。
【０００７】
以上のように構成された従来の光ディスク装置の動作について説明する。
【０００８】
図６において、ドライブ機構部５１は、光ディスク５２を回転させるスピンドルモータ５３と、光ディスク５２の情報記録面に対して情報の記録又は再生の少なくとも一方を行ない、更に光ディスクのレーベル面に対して光ビームを照射することにより可視画像の形成を行なうことが可能な光ピックアップ５４と、光ピックアップ５４が搭載されたキャリッジを光ディスク５２の半径方向に移動させるためのフィード部５５とによって構成されたものである。
【０００９】
アナログ信号処理部５８は、ドライブ機構部５１の内部に設けられたキャリッジ中の光ピックアップ５４内部の光センサ（図示せず）からの信号出力を基に、フォーカスエラー信号とトラッキングエラー信号とを生成し、サーボ処理部５９に出力する。ここで、フォーカスエラー信号とは、光ピックアップ５４に備えられた対物レンズ７０１より出射される光ビームスポットと光ディスク５２の情報記録面との焦点方向のずれをいう。トラッキングエラー信号とは、前記光スポットと光ディスク５２の情報トラックとの光ディスク半径方向のずれをいう。
【００１０】
サーボ処理部５９は、対物レンズ７０１とキャリッジとの相対的な位置関係を示すレンズ位置信号を生成し、モータ駆動部６０に出力する。また、サーボ処理部５９は、ＯＮ／ＯＦＦ回路、演算回路、フィルタ回路、増幅回路等によって構成され、光ビームスポットが光ディスク５２の情報トラックに追従するように対物レンズ７０１をフォーカス／トラッキング制御し、さらにトラッキングエラー信号の低域成分を用いて対物レンズ７０１が概略中立位置を保持するようにフィード制御を行う。フィード部５５は、フィードモータ、ギヤ、スクリューシャフト（図示せず）等から構成され、フィードモータを回転させることによってキャリッジが光ディスク５２半径方向に移動するようになっている。
【００１１】
ディジタル信号処理部６３は、アナログ信号処理部５８から送られてきたアナログ信号をディジタル信号に変換し、コントローラ６１、レーザ駆動部６２、バッファメモリ６４の各部に送出する。
【００１２】
光ピックアップ５４により光ディスク５２のレーベル面に対して光ビームを照射することで可視画像の形成を行なう場合には、モータ駆動部６０は、スピンドルモータ５３から得られる逆起電流を利用してスピンドルモータ５３の回転数に応じた周波数のＦＧ（Ｆｒｅｑｕｅｎｃｙ  Ｇｅｎｅｒａｔｏｒ）パルス信号をディジタル信号処理部６３にあるＰＬＬ（Ｐｈａｓｅ  ｌｏｃｋｅｄ  Ｌｏｏｐ）回路６３ａに出力する。ＰＬＬ回路６３ａは、ＦＧパルス信号を逓倍し、可視画像形成のために用いられるＰＬＬクロック信号を生成し、それを基に画像形成に必要なデータをバッファメモリ６４から読み出し、レーザ駆動部６２によって光ピックアップ５４のレーザ発光を制御する。
【００１３】
コントローラ６１は、このように構成されたサーボ部の全体のコントロールを行うものであり、アナログ信号処理部５８、サーボ処理部５９、モータ駆動部６０、ディジタル信号処理部６３、レーザ駆動部６２の各部から送られる信号が入力され、これらの信号の演算処理等を行い、この演算処理の結果（信号）を各部に送出し、各部にて駆動、処理を実行させ、各部の制御を行うものである。
【００１４】
先行例としては、（特許文献１）等がある。
【特許文献１】特開２００４−５５０７６号公報
【発明の開示】
【発明が解決しようとする課題】
【００１５】
しかしながら、レーベル面に可視画像記録領域を有した光ディスクに対して、光ビームを照射することにより可視画像の形成を行なうことが可能な光ディスク装置は、光ディスク５２の情報記録面に情報の記録または再生を行なう光ピックアップと、光ビームを照射することによりレーベル面に可視画像の形成を行なう光ピックアップが共通であるため、使用者が１枚の光ディスク５２に対して情報の記録とレーベル面の可視画像の形成を行なう場合、光ディスク５２に情報の記録をした後に、光ディスク装置から光ディスク５２を取り出して、光ディスク５２を裏返して再セットを行い、光ビームを照射することにより可視画像の形成を行なわなければならない。
【００１６】
また、光ディスク５２の情報記録面に情報の記録または再生を行なう場合と光ディスク５２のレーベル面に可視画像の形成を行なう場合において、光ピックアップ５４に設けられた対物レンズ７０１と光ディスク５２の情報記録面、光ピックアップ５４に設けられた対物レンズ７０１と光ディスク５２のレーベル面までの距離が異なることになるため、光ピックアップ５４に設けられた対物レンズ７０１は異なる２つの距離に対していずれか一方を中心とした範囲でフォーカスサーボをする必要がある。
【００１７】
さらに、光ディスク５２に情報の記録をする場合と光ディスク５２のレーベル面に所望の可視画像の形成を行なう場合とでは、最適な光ビーム量が異なるため、光ピックアップ５４はそれらの光ビーム量の出力に対応する必要がある。
【００１８】
本発明は、このような従来の課題を解決するものであり、レーベル面に可視画像形成領域を有した光ディスクに対して、情報記録面への情報記録とレーベル面への可視画像形成という２つの動作を行なう際に、光ディスクを再セットする手間を省き、また、情報記録面への情報記録とレーベル面への可視画像形成の双方に対して、フォーカス、光ビームの出力量などを最適な記録条件または可視画像形成条件に設定することができるため、使用者の利便性を高め、かつ高品質の記録または可視画像形成を行なうことが可能な光ディスクの記録方法および光ディスク装置を提供することを目的とする。
【課題を解決するための手段】
【００１９】
本発明は、上記の課題を解決するためになされたものであって、レーベル面に可視画像形成領域を有した光ディスクの記録方法であって、第１の光ピックアップは光ディスクの情報記録面に対して情報の記録又は再生の少なくとも一方を行ない、第２の光ピックアップは光ディスクのレーベル面に対して光ビームを照射することにより可視画像の形成を行なうことを特徴とする光ディスクの記録方法である。
【００２０】
また、本発明の光ディスク装置は、光ディスクを回転させる回転駆動手段と、光ディスクに光ビームを照射する第１の光ピックアップと第２の光ピックアップと、第１の光ピックアップと第２の光ピックアップを制御する制御部を備え、レーベル面に可視画像形成領域を有した光ディスクに対して、制御部は、第１の光ピックアップで光ディスクの情報記録面に情報の記録又は再生の少なくとも一方を行ない、第２の光ピックアップで光ディスクのレーベル面に光ビームを照射することにより可視画像の形成を行なうことを特徴とする光ディスク装置である。
【発明の効果】
【００２１】
本発明は上記構成により、光ディスクの情報記録面に対して情報の記録又は再生の少なくとも一方を行なうことと、光ディスクのレーベル面に対して光ビームを照射することにより可視画像の形成を行なうことの双方の作業を独立した２つの光ピックアップで行なうことができ、従来は１つの光ピックアップで行なっていた場合に必要であった光ディスクを裏返す手間が不要になり、また、光ディスクの情報記録面に対して情報の記録又は再生の少なくとも一方を行なう光ピックアップと光ディスクのレーベル面に光ビームを照射することにより可視画像の形成を行なう光ピックアップのそれぞれに対して独立した最適な設定をすることが可能になる。
【００２２】
このことにより、本発明は、レーベル面に可視画像記録領域を有した光ディスクに対して、情報記録面への情報記録とレーベル面への可視画像形成という２つの動作を行なう際に、光ディスクを再セットする手間を省き、また、情報記録面への情報記録とレーベル面への可視画像形成の双方に対して、フォーカス、光ビームの出力量などを最適な記録条件または可視画像形成条件に設定することができるため、使用者の利便性を高め、かつ高品質の記録または可視画像形成を行なうことが可能な光ディスクの記録方法および光ディスク装置を提供することを目的とする。
【発明を実施するための最良の形態】
【００２３】
請求項１記載の発明は、レーベル面に可視画像記録領域を有した光ディスクの記録方法であって、第１の光ピックアップが光ディスクの情報記録面に対して情報の記録又は再生の少なくとも一方を行ない、第２の光ピックアップが光ディスクのレーベル面に対して光ビームを照射することにより可視画像の形成を行なうことを特徴とするものである。レーベル面に可視画像記録領域を有した光ディスクの記録方法であって、第１の光ピックアップが光ディスクの情報記録面に対して情報の記録又は再生の少なくとも一方を行ない、第２の光ピックアップが光ディスクのレーベル面に対して光ビームを照射することにより可視画像の形成を行なうことによって、光ディスクの情報記録面に対して情報の記録又は再生の少なくとも一方を行なうことと、光ディスクのレーベル面に対して光ビームを照射することにより可視画像の形成を行なうことの双方の作業を独立した２つの光ピックアップで行なうことができ、従来は１つの光ピックアップで行なっていた場合に必要であった光ディスクを裏返す手間が不要になり、また、光ディスクの情報記録面に対して情報の記録又は再生の少なくとも一方を行なう光ピックアップと光ディスクのレーベル面に光ビームを照射することにより可視画像の形成を行なう光ピックアップのそれぞれに対して独立した最適な設定をすることが可能になる。このことにより、レーベル面に可視画像記録領域を有した光ディスクに対して、情報記録面への情報記録とレーベル面への可視画像形成という２つの動作を行なう際に、光ディスクを再セットする手間を省き、また、情報記録面への情報記録とレーベル面への可視画像形成の双方に対して、フォーカス、光ビームの出力量などを最適な記録条件または可視画像形成条件に設定することができるため、使用者の利便性を高め、かつ高品質の記録または可視画像形成を行なうことが可能な光ディスクの記録方法を実現することができる。
【００２４】
請求項２記載の発明は、第１の光ピックアップと第２の光ピックアップが、並行して動作することを特徴とするものである。第１の光ピックアップと第２の光ピックアップが、並行して動作することによって、１枚の光ディスクに対して、情報記録面への情報記録とレーベル面への可視画像形成という２つの作業を行なう際の時間短縮を図ることができる。
【００２５】
請求項３記載の発明は、第１の光ピックアップと第２の光ピックアップが並行して行なう動作において、第１の光ピックアップの動作が優先して行なわれることを特徴とするものである。第１の光ピックアップの動作が優先して行なわれることによって、第１の光ピックアップと第２の光ピックアップが並行して動作する際に複雑となる光ディスクの回転制御を比較的容易に行なうことができる。
【００２６】
請求項４記載の発明は、第２の光ピックアップが光ディスクのレーベル面に対して可視画像の形成を行なう際に、同一箇所に複数回の記録動作を行なうことを特徴とするものである。第２の光ピックアップが光ディスクのレーベル面に対して可視画像の形成を行なう際に、同一箇所に複数回の記録動作を行なうことにより可視画像形成をする重ね記録を行なうことによって、光ビームの照射によって可視画像形成をする際の記録パワーに限界がある場合であっても、可視画像形成を確実に行なうことができる。
【００２７】
請求項５記載の発明は、光ディスクを回転させる回転駆動手段と、光ディスクに光ビームを照射する第１の光ピックアップと第２の光ピックアップと、第１の光ピックアップと第２の光ピックアップを制御する制御部を備え、制御部が、レーベル面に可視画像記録領域を有した光ディスクに対して、第１の光ピックアップで光ディスクの情報記録面に情報の記録又は再生の少なくとも一方を行ない、第２の光ピックアップで光ディスクのレーベル面に光ビームを照射することにより可視画像の形成を行なうことを特徴とするものである。制御部が、レーベル面に可視画像記録領域を有した光ディスクに対して、第１の光ピックアップで光ディスクの情報記録面に情報の記録又は再生の少なくとも一方を行ない、第２の光ピックアップで光ディスクのレーベル面に光ビームを照射することにより可視画像の形成を行なうことによって、光ディスクの情報記録面に対して情報の記録又は再生の少なくとも一方を行なうことと、光ディスクのレーベル面に対して光ビームを照射することにより可視画像の形成を行なうことの双方の作業を独立した２つの光ピックアップで行なうことができ、従来は１つの光ピックアップで行なっていた場合に必要であった光ディスクを裏返す手間が不要になり、また、光ディスクの情報記録面に対して情報の記録又は再生の少なくとも一方を行なう光ピックアップと光ディスクのレーベル面に光ビームを照射することにより可視画像の形成を行なう光ピックアップのそれぞれに対して独立した最適な設定をすることが可能になる。このことにより、レーベル面に可視画像記録領域を有した光ディスクに対して、情報記録面への情報記録とレーベル面への可視画像形成という２つの動作を行なう際に、光ディスクを再セットする手間を省き、また、情報記録面への情報記録とレーベル面への可視画像形成の双方に対して、フォーカス、光ビームの出力量などを最適な記録条件または可視画像形成条件に設定することができるため、使用者の利便性を高め、かつ高品質の記録または可視画像形成を行なうことが可能な光ディスク装置を実現することができる。
【００２８】
請求項６記載の発明は、可視画像記録領域が、特定の周波数の光ビームが当たると化学反応する変色層であるか、もしくは光ビームが当たると熱により発色が変化する変色層であることを特徴とするものである。可視画像記録領域に、特定の周波数の光ビームが当たると化学反応する変色層であるか、もしくは光ビームが当たると熱により発色が変化する変色層であることによって、比較的小さい光ビーム量で可視画像の形成を行なうことができるため、光ディスクの情報記録面に対して情報の記録を行なうことと光ディスクのレーベル面に光ビームを照射することにより可視画像の形成を行なうことの双方を並行して行なうことが容易になる。
【００２９】
請求項７記載の発明は、特定の周波数が、ＣＤの記録もしくは再生に用いられる周波数、またはＤＶＤの記録もしくは再生に用いられる周波数の少なくとも一方であることを特徴とするものである。特定の周波数が、ＣＤの記録もしくは再生に用いられる周波数、またはＤＶＤの記録もしくは再生に用いられる周波数の少なくとも一方であることによって、可視画像形成のために必要な光ビームを出射する光源を新たに設計する必要がなく、既存の光源を利用することができる。
【００３０】
（実施の形態１）
以下、本発明の一実施の形態について、図面を参照しながら説明する。
【００３１】
図１は、本発明の一実施の形態における光ディスク装置の構成を示すブロック図である。図１において、１はドライブ機構部、３はスピンドルモータ、４は第１光ピックアップ、５は第１フィード部、６は第２光ピックアップ、７は第２フィード部、８は第１アナログ処理部、９は第１サーボ処理部、１０は第１モータ駆動部、１１はコントローラ、１２は第１レーザ駆動部、１３はディジタル信号処理部、１３ａはＰＬＬ回路、１４はバッファメモリ、１５は第２モータ駆動部、１６は第２アナログ信号処理部、１７は第２レーザ駆動部、１８は第２サーボ処理部、５２は光ディスク、４０１は第１対物レンズ、６０１は第２対物レンズである。
【００３２】
以上のように構成された本発明の一実施の形態における光ディスク装置の動作について説明する。図１において、ドライブ機構部１は、光ディスク５２を回転させるスピンドルモータ３と、光ディスク５２の情報記録面に対して情報の記録又は再生の少なくとも一方を行なう第１の光ピックアップである第１光ピックアップ４と、光ディスクのレーベル面に対して光ビームを照射することにより可視画像の形成を行なう第２の光ピックアップである第２光ピックアップ６と、第１光ピックアップ４が搭載されたキャリッジを光ディスク５２の半径方向に移動させるための第１フィード部５と、第２光ピックアップ６が搭載されたキャリッジを光ディスク５２の半径方向に移動させるための第２フィード部７とによって構成されたものである。
【００３３】
第１アナログ信号処理部８は、ドライブ機構部１の内部に設けられたキャリッジの中にある第１光ピックアップ４内部の光センサ（図示せず）からの信号出力を基に、フォーカスエラー信号とトラッキングエラー信号とを生成し、第１サーボ処理部９に出力する。
【００３４】
フォーカスエラー信号とは、第１光ピックアップ４に備えられた第１対物レンズ４０１より出射される光ビームスポットと光ディスク５２の記録面との焦点方向のずれをいう。トラッキングエラー信号とは、前記光スポットと光ディスク５２の情報トラックとの光ディスク半径方向のずれをいう。
【００３５】
第１サーボ処理部９は、第１対物レンズ４０１とキャリッジとの相対的な位置関係を示すレンズ位置信号を生成し、第１モータ駆動部１０に出力し、第１モータ駆動部１０は、第１光ピックアップ４とスピンドルモータ３と第１フィード部５を駆動する。また、第１サーボ処理部９はＯＮ／ＯＦＦ回路、演算回路、フィルタ回路、増幅回路等によって構成され、光ビームスポットが光ディスク５２の情報トラックに追従するように第１対物レンズ４０１をフォーカス／トラッキング制御し、さらにトラッキングエラー信号の低域成分を用いて対物レンズが概略中立位置を保持するようにフィード制御を行う。
【００３６】
第１フィード部５と第２フィード部７は、フィードモータ、ギヤ、スクリューシャフト（図示せず）等から構成され、フィードモータを回転させることによってキャリッジが光ディスク５２半径方向に移動するようになっている。
【００３７】
ディジタル信号処理部１３は、第１アナログ信号処理部８から送られてきたアナログ信号をディジタル信号に変換し、コントローラ１１、第１レーザ駆動部１２、第２レーザ駆動部１７、バッファメモリ１４の各部に送出する。
【００３８】
第２モータ駆動部１５は、第２光ピックアップ６と第２フィード部７を駆動し、第２アナログ信号処理部１６は、第２光ピックアップ６内部の光センサ（図示せず）からの信号出力を基に、フォーカスエラー信号を生成し、第２サーボ処理部１８に出力する。
【００３９】
第２サーボ処理部１８は、第２対物レンズ６０１とキャリッジとの相対的な位置関係を示すレンズ位置信号を生成し、第２モータ駆動部１５に出力する。また、第２サーボ処理部１８はＯＮ／ＯＦＦ回路、演算回路、フィルタ回路、増幅回路等によって構成され、光ビームスポットが光ディスク５２の可視画像形成面に第２対物レンズ６０１をフォーカス制御し、光ディスク５２上の所望の領域に目的の可視画像を形成するためにフィード制御を行う。
【００４０】
コントローラ１１は、このように構成されたサーボ部の全体のコントロールを行うものであり、第１アナログ信号処理部８、第２アナログ信号処理部１６、第１サーボ処理部９、第２サーボ処理部１８、第１モータ駆動部１０、第２モータ駆動部１５、ディジタル信号処理部１３、第１レーザ駆動部１２、第２レーザ駆動部１７の各部から送られる信号が入力され、これらの信号の演算処理等を行い、この演算処理の結果（信号）を各部に送出し、各部にて駆動、処理を実行させ、各部の制御を行うものである。
【００４１】
次に、レーベル面に可視画像記録領域を有した光ディスクの一例として、レーベル面に変色層を有した光ディスクの構造について説明する。
【００４２】
図２は、レーベル面に変色層を有した光ディスクの構造を示す図である。図２において、５２は光ディスク、１０１は保護層、１０２は変色層、１０３は反射層、１０４は保護層、１０５は反射層、１０６は記録層、１０７は保護層、１１１はレーベル面、１１２は情報記録面、４０１は第１対物レンズ、６０１は第２対物レンズである。
【００４３】
レーベル面に可視画像記録領域を有した光ディスクの一例であるレーベル面１１１に変色層を有した光ディスクは、情報の記録を行なうことが可能な情報記録面１１２と光ビームにより所望の可視画像の形成を行なうことが可能なレーベル面１１１があり、レーベル面１１１に設けられた変色層は、特定の周波数の光ビームが当たると化学反応するものや光ビームが当たると熱により発色が変化するものなどがある。変色層に対して特定の周波数の光ビームが当たると化学反応するものや光ビームが当たると熱により発色が変化するものは、比較的小さい光ビーム量で可視画像の形成を行なうことができる。
【００４４】
情報の記録を行なうことが可能な情報記録面１１２は、反射層１０５、記録層１０６、保護層１０７で構成され、反射層１０５と記録層１０６の組み合わせにより、第１光ピックアップ４に設けられた第１対物レンズ４０１から出射される光ビームを利用してデータの記録または再生の少なくとも一方が行なわれる。
【００４５】
また、光ビームにより所望の可視画像の形成を行なうことが可能なレーベル面１１１は、保護層１０１、変色層１０２、反射層１０３で構成され、変色層１０２は、第２光ピックアップ６に設けられた第２対物レンズ６０１から出射される光ビームが当たることにより、所望の可視画像の形成を行なう。反射層１０３は、第２光ピックアップ６に設けられた第２対物レンズ６０１から出射される光ビームを利用したフォーカス制御に用いられる。
【００４６】
情報の記録を行なうことが可能な情報記録面１１２と光ビームにより所望の可視画像の形成を行なうことが可能なレーベル面１１１の境界上には、保護層１０４が設けられている。保護層１０４は、反射層１０３と反射層１０５を張り合わせるためのベース材として用いられ、保護層１０１、保護層１０７は傷やほこりなど外的要因から記録層１０６を守るために設けられている。
【００４７】
次に、本実施の形態における光ディスク５２のレーベル面１１１に可視画像を形成する方法について説明する。
【００４８】
図３は、本発明の一実施の形態における光ディスク装置のＦＧパルス信号とＰＬＬクロックを示す図である。上段の矩形波がＦＧパルス（Ｆｒｅｑｕｅｎｃｙ  Ｇｅｎｅｒａｔｏｒ）信号、下段の矩形波がＰＬＬ（Ｐｈａｓｅ  ｌｏｃｋｅｄ  Ｌｏｏｐ）クロックであり、横軸が時間軸である。
【００４９】
第１モータ駆動部１０は、スピンドルモータ３から得られる逆起電流を利用してスピンドルモータ３の回転数に応じた周波数のＦＧパルス信号をディジタル信号処理部１３にあるＰＬＬ回路１３ａに出力する。
【００５０】
ＰＬＬ回路１３ａは、ＦＧパルス信号を逓倍し、可視画像形成のために用いられるＰＬＬクロック信号を生成する。例えば、図３の上段に示すように、スピンドルモータ３が１回転、すなわち光ディスクが１回転している間に８個のＦＧパルスを生成するものである場合に、図３の下段に示すように、ＰＬＬ回路１３ａは図３の上段に示すＦＧパルスを逓倍したＰＬＬクロック信号を生成する。
【００５１】
ディジタル信号処理部１３は、ＰＬＬクロック信号毎、つまりある一定角度分だけ光ディスクが回転する毎に１つの座標の階調度を示す画像形成に必要なデータをバッファメモリ１４から読み出して、第２レーザ駆動部１７にレーザ駆動信号を送る。
【００５２】
図４は、本発明の一実施の形態における光ディスク装置の光ビームの光量レベルと記録線速度の関係を示す図である。図４において、横軸Ｖは情報記録面への記録線速度であり、縦軸Ｐは情報記録面への記録の際に必要とされる光ビームの光量レベルを示している。情報記録面への記録の際に必要とされる光ビームの光量レベルＰと情報記録面への記録線速度Ｖの関係は、Ｐ＝ｋ・√Ｖで表わされる。ここで、ｋは任意の定数である。
【００５３】
コントローラ１１は、第１光ピックアップ４と第２光ピックアップ６の光ディスク５２径方向の移動制御と併せて、光ビームの光量レベルの調整を行う。一般に記録線速度Ｖが大きくなると、それだけ多くの光量の光ビームを照射する必要がある。これは、単位時間当たりに単位面積が受ける光ビームの照射量が減少するためである。
【００５４】
図５は、本発明の一実施の形態における光ディスク装置の記録処理の示すフローチャートである。ここで、図５は、光ディスク５２の情報記録面への記録動作とレーベル面への可視画像記録動作のうち、光ディスク５２のレーベル面への可視画像記録動作のみを抽出して示している。
【００５５】
光ディスク装置は、光ディスク５２が挿入されると、スピンドルモータ３を回転させ、起動処理を開始し、フォーカスサーボ、トラッキングサーボをかけ、ディスク判別を行なう。
【００５６】
次に、光ディスク５２の情報記録面１１２への記録動作とレーベル面１１１への可視画像記録動作を並行して行うか、独立して行うかを選択する（Ｓ４０１）。
【００５７】
以降、情報記録面１１２への記録動作とレーベル面１１１への可視画像記録動作を独立して行なう場合について説明する。
【００５８】
使用者の指示により、光ディスク５２の情報記録面１１２への記録動作とレーベル面１１１への可視画像記録動作を独立して行なう処理の選択がされ、それに付随する内容の入力が行なわれると、まず、従来と同様に光ディスク５２の情報記録面１１２への記録動作が行なわれる。光ディスク５２の情報記録面１１２への記録動作が終了すると、次にレーベル面１１１への可視画像記録動作を行なう。レーベル面１１１への可視画像記録動作では、最初にディスク回転速度の設定が行なわれる（Ｓ４０２）。
【００５９】
光ディスク５２の回転速度の設定は，使用者の各種入力情報がＨＯＳＴからディジタル信号処理部１３を介してコントローラ１１に伝えられ、コントローラ１１はその情報を基に、第１サーボ処理部９を介して第１モータ駆動部１０へ指示を出し、スピンドルモータ３を動作させる。また、コントローラ１１は、第２サーボ処理部１８、第２モータ駆動部１５を介して、第２光ピックアップ６と第２フィード部７へ情報を伝え、第２光ピックアップ６と第２フィード部７を動作させる（Ｓ４０３）。ディスク回転速度設定（Ｓ４０２）と第２光ピックアップ６および第２フィード部７の移動（Ｓ４０３）は、より多くの時間を要するディスク回転速度設定を先に行ない、次に第２光ピックアップ６および第２フィード部７の移動を行なうことが好ましい。こうすることで、回転速度を検出してから第２光ピックアップ６によって、レーベル面１１１への記録動作を開始するまでの時間を少なく出来るので、検出した回転速度の信頼性を低下させることがない。
【００６０】
次に、コントローラ１１は、第２フィード部７とスピンドルモータ３の動作状況から記録位置線速度検出（Ｓ４０４）と記録パワー設定（Ｓ４０５）を行なう。記録位置線速度検出は、第２フィード部７に設けられた第２光ピックアップ６の第２対物レンズ６０１の半径位置とスピンドルモータ３の回転速度から計算される。また、記録パワーの設定も図４の光ビームの光量レベルと記録線速度の関係を示す図から算出される。
【００６１】
次に、光ディスク５２のレーベル面１１１への可視画像記録動作を行なう（Ｓ４０６）。光ディスク５２のレーベル面１１１への可視画像記録動作は、使用者から既に受け取っている情報を基に、まずコントローラ１１がディジタル信号処理部１３に指示を出し、それが第２レーザ駆動部１７、第２光ピックアップ６の順に伝わり、第２光ピックアップ６が動作することにより行なわれる。ここで、光ビームの光量レベルを上げるレーザの記録パワーの出力に限界がある場合には、同一箇所に複数回の記録動作を行なう重ね記録を行うことで記録部分の変色度合いをよりはっきりさせることが可能になる（Ｓ４０７）。重ね記録は、光ビームの光量レベルを上げるレーザの記録パワーの出力に限界がある場合にのみ使用し、通常はこの機能を用いずにレーベル面１１１への可視画像記録動作を行なうのが、時間短縮の観点より好ましい。また、その点を考慮するとレーベル面１１１全体へ可視画像記録を行なう際の少なくとも一部にこの機能を用いることも可能である。
【００６２】
すべての可視画像記録が完了（Ｓ４０８）すると、光ディスク５２のレーベル面１１１への可視画像記録動作を終了する（Ｓ４１６）。
【００６３】
次に、情報記録面１１２への記録動作とレーベル面１１１への可視画像記録動作を並行して行なう場合について説明する。
【００６４】
使用者の指示により、光ディスク５２の情報記録面１１２への記録動作とレーベル面１１１への可視画像記録動作を並行して行なう処理の選択がされ、それに付随する内容の入力が行なわれると、既に光ディスク５２挿入時に取得された光ディスク５２のディスク情報を基に光ディスク５２の情報記録面１１２への記録動作が始まる。それとほぼ同時に、第２光ピックアップ６と第２フィード部７の動作も始める（Ｓ４０９）。第２光ピックアップ６と第２フィード部７の動作は、使用者の各種入力情報がＨＯＳＴからディジタル信号処理部１３を介してコントローラ１１に伝えられ、コントローラ１１はその情報を基に、第２サーボ処理部１８、第２モータ駆動部１５を介して、第２光ピックアップ６と第２フィード部７へ指示を出し、第２光ピックアップ６と第２フィード部７を動作させる。
【００６５】
次に、ディスク回転速度検出を行なう（Ｓ４１０）。ここで、行なわれるディスク回転速度検出は、光ディスク５２の情報記録面１１２への記録動作のためにスピンドルモータ３が既に回転しているため、その回転速度はスピンドルモータ３、第１モータ駆動部１０、第１サーボ処理部９を介してコントローラ１１に伝えられる。第２光ピックアップ６および第２フィード部７の移動（Ｓ４０９）とディスク回転速度検出（Ｓ４１０）は、どちらが先に行なわれても良いが、全体の処理時間の短縮を図ろうと思えば、より多くの時間を要する第２光ピックアップ６および第２フィード部７の移動を先に行ない、次にディスク回転速度検出（Ｓ４１０）を行なうことが好ましい。こうすることで、第２光ピックアップ６および第２フィード部７の移動が所望の位置に到達するまでの間にディスク回転速度検出を開始することができるため、時間の短縮をすることができる。
【００６６】
次に、コントローラ１１は、第２フィード部７とスピンドルモータ３の動作状況から記録位置線速度検出（Ｓ４１１）と記録パワー設定（Ｓ４１２）を行なう。記録位置線速度検出は、第２フィード部７に設けられた第２光ピックアップ６の第２対物レンズ６０１の半径位置とスピンドルモータ３の回転速度から計算され、その結果に応じてディジタル信号処理部１３を介して第２レーザ駆動部１７を補正する。また、記録パワーの設定も図４の光ビームの光量レベルと記録線速度の関係を示す図から算出される。
【００６７】
光ディスク５２の情報記録面１１２への情報記録とレーベル面１１１への可視画像形成という２つの作業を並行して行なう際には、光ディスク５２のレーベル面１１１の可視画像形成線速度がどうなるかは情報記録面１１２への情報記録状況によって変化する。
【００６８】
次に、光ディスク５２のレーベル面１１１への可視画像記録動作を行なう（Ｓ４１３）。光ディスク５２のレーベル面１１１への可視画像記録動作は、使用者から既に受け取っている情報を基に、まずコントローラ１１がディジタル信号処理部１３に指示を出し、それが第２レーザ駆動部１７、第２光ピックアップ６の順に伝わり、第２光ピックアップが動作することにより行なわれる。ここで、光ビームの光量レベルを上げるレーザの記録パワーの出力に限界がある場合には、同一箇所に複数回の記録動作を行なう重ね記録を行うことで記録部分の変色度合いをよりはっきりさせることが可能になる（Ｓ４１４）。重ね記録は、光ビームの光量レベルを上げるレーザの記録パワーの出力に限界がある場合にのみ使用し、通常はこの機能を用いずにレーベル面１１１への可視画像記録動作を行なうのが、時間短縮の観点より好ましい。また、その点を考慮するとレーベル面１１１全体へ可視画像記録を行なう際の少なくとも一部にこの機能を用いることも可能である。
【００６９】
すべての画像記録が完了（Ｓ４１５）すると、光ディスク５２のレーベル面１１１への画像記録動作を終了する（Ｓ４１６）。
【００７０】
本実施の形態では、光ディスク５２の情報記録面１１２へ記録動作とレーベル面１１１への可視画像記録動作を並行して行うことを可能としているが、情報記録面１１２への記録動作と可視画像記録動作を独立して行うことも可能である。光ディスク５２の情報記録面１１２への記録動作とレーベル面１１１への可視画像記録動作の双方を行なう必要がある場合は、時間短縮の観点から光ディスク５２の情報記録面１１２への記録動作とレーベル面１１１への可視画像記録動作を並行して行うことが好ましい。
【００７１】
また、光ディスク５２の情報記録面１１２への記録動作とレーベル面１１１への可視画像形成を並行して行なう場合、第１光ピックアップ４と第２光ピックアップ６の制御上、双方がうまく噛み合わないことがあるため、この場合、光ディスク５２の回転制御は、情報記録面１１２への記録動作もしくはレーベル面１１１への可視画像形成のどちらかを優先して行なう必要がある。この時、情報記録面１１２への記録動作の方が記録するデータ量が大きく、また第１光ピックアップ４の制御も複雑になるため、光ディスク５２の回転制御は、情報記録面１１２への記録動作を優先して行うことが好ましい。こうすることにより、光ディスク５２の回転制御を容易に行なうことができる。
【００７２】
また、本実施の形態に用いるレーベル面に可視画像記録領域を有した光ディスク５２の一例であるレーベル面１１１に変色層１０２を有した光ディスク５２は、変色層１０２が特定の周波数の光ビームが当たると化学反応する変色層１０２であるか、もしくは光ビームが当たると熱により発色が変化する変色層１０２であることが好ましい。こうすることによって、比較的小さい光ビーム量で可視画像の形成を行なうことができるため、光ディスク５２の情報記録面１１２に対して情報の記録を行なうことと光ディスク５２のレーベル面１１１に光ビームを照射することにより可視画像の形成を行なうことの双方を並行して行なうことが容易になる。
【００７３】
さらに、本実施の形態に用いるレーベル面１１１に変色層１０２を有した光ディスク５２の変色層１０２に対して、用いられる特定の周波数の光ビームは、ＣＤの記録もしくは再生に用いられる周波数である約７８０ｎｍの光ビーム、またはＤＶＤの記録もしくは再生に用いられる周波数である約６５０ｎｍの光ビームの少なくとも一方であることが好ましい。そうすることにより、可視画像形成のために必要な光ビームを出射する光源を新たに設計する必要がなく、既存の光源を利用することができる。
【００７４】
このようにして、光ディスク５２の情報記録面１１２に対して情報の記録又は再生の少なくとも一方を行なうことと、光ディスク５２のレーベル面１１１に対して光ビームを照射することにより可視画像の形成を行なうことの双方の作業を独立した２つの第１，第２光ピックアップ４、６で行なうことができ、従来は１つの光ピックアップ５４で行なっていた場合に必要であった光ディスク５２を裏返す手間が不要になり、また、光ディスク５２の情報記録面１１２に対して情報の記録又は再生の少なくとも一方を行なう第１光ピックアップ４と光ディスクのレーベル面１１１に光ビームを照射することにより可視画像の形成を行なう第２光ピックアップ６のそれぞれに対して独立した最適な設定をすることが可能になる。このことにより、レーベル面１１１に可視画像記録領域を有した光ディスク５２に対して、情報記録面１１２への情報記録とレーベル面１１１への可視画像形成という２つの動作を行なう際に、光ディスク５２を再セットする手間を省き、また、情報記録面１１２への情報記録とレーベル面１１１への可視画像形成の双方に対して、フォーカス、光ビームの出力量などを最適な記録条件または可視画像形成条件に設定することができるため、使用者の利便性を高め、かつ高品質の記録または可視画像形成を行なうことが可能な光ディスク５２の記録方法と光ディスク装置を実現することができる。
【００７５】
なお、本実施の形態では、レーベル面に可視画像記録領域を有した光ディスクとして、レーベル面１１１に変色層１０２を有した光ディスク５２を用いたが、レーベル面に可視画像記録領域を有した光ディスク５２は、これに限定されるものではなく、レーベル面に光ビームを照射することで可視画像を形成できるものであれば何でも良い。
【産業上の利用可能性】
【００７６】
本発明は、情報記録面への情報記録とレーベル面への可視画像形成という２つの動作を行なう際に、光ディスクを再セットする手間を省き、また、情報記録面への情報記録とレーベル面への可視画像形成の双方に対して、フォーカス、光ビームの出力量などを最適な記録条件または可視画像形成条件に設定することができるため、レーベル面に可視画像記録領域を有した光ディスクに対して、光ビームを照射することにより可視画像の形成を行なうことができる光ディスクの記録方法および光ディスク装置などに適応可能である。
【図面の簡単な説明】
【００７７】
【図１】本発明の一実施の形態における光ディスク装置の構成を示すブロック図
【図２】レーベル面に変色層を有した光ディスクの構造を示す図
【図３】本発明の一実施の形態における光ディスク装置のＦＧパルス信号とＰＬＬクロックを示す図
【図４】本発明の一実施の形態における光ディスク装置の光ビームの光量レベルと記録線速度の関係を示す図
【図５】本発明の一実施の形態における光ディスク装置の記録処理の示すフローチャート
【図６】従来の光ディスク装置の構成を示すブロック図
【符号の説明】
【００７８】
１    ドライブ機構
３    スピンドルモータ
４    第１光ピックアップ
５    第１フィード部
６    第２光ピックアップ
７    第２フィード部
８    第１アナログ信号処理部
９    第１サーボ処理部
１０    第１モータ駆動部
１１    コントローラ
１２    第１レーザ駆動部
１３    ディジタル信号処理部
１３ａ    ＰＬＬ回路
１４    バッファメモリ
１５    第２モータ駆動部
１６    第２アナログ信号処理部
１７    第２レーザ駆動部
１８    第２サーボ処理部
５１    ドライブ機構部
５２    光ディスク
５３    スピンドルモータ
５４    光ピックアップ
５５    フィード部
５８    アナログ信号処理部
５９    サーボ処理部
６０    モータ駆動部
６１    コントローラ
６２    レーザ駆動部
６３    ディジタル信号処理部
６３ａ    ＰＬＬ回路
６４    バッファメモリ
１０１    保護層
１０２    変色層
１０３    反射層
１０４    保護層
１０５    反射層
１０６    記録層
１０７    保護層
１１１    レーベル面
１１２    情報記録面
４０１    第１対物レンズ
６０１    第２対物レンズ
７０１    対物レンズ
【図１】
2006294083.tif 000003
【図２】
2006294083.tif 000004
【図３】
2006294083.tif 000005
【図４】
2006294083.tif 000006
【図５】
2006294083.tif 000007
【図６】
2006294083.tif 000008